【手続補正書】
【提出日】平成21年2月20日(2009.2.20)
【手続補正１】
【補正対象書類名】特許請求の範囲
【補正対象項目名】全文
【補正方法】変更
【補正の内容】
【特許請求の範囲】
【請求項１】
画像ブロックのためのビデオ信号データを符号化するためのビデオ符号器であって、前記ビデオ信号データの色成分毎に独自の予測器を使用して、前記ビデオ信号データを符号化するための符号器を含む、前記ビデオ符号器。
【請求項２】
前記独自の予測器が、前記ビデオ信号データが、共通ブロック区分を使用して区分されるか、または複数ブロック区分を使用して区分されるかに関係なく、前記ビデオ信号データを符号化するために使用される、請求項１に記載のビデオ符号器。
【請求項３】
前記独自の予測器が、すべて輝度予測器である、請求項１に記載のビデオ符号器。
【請求項４】
前記独自の予測器が、前記ビデオ信号データの輝度および色度成分の両方に対して使用される独自の輝度予測器を備える、請求項１に記載のビデオ符号器。
【請求項５】
前記ビデオ信号データのサンプリングが、国際電気通信連合電気通信標準化部門のＨ．２６４規格の４：４：４、４：２：２、および４：２：０フォーマットの何れかに対応する、請求項１に記載のビデオ符号器。
【請求項６】
前記独自の予測器が、前記ビデオ信号データのイントラおよびインター符号化の両方に対して使用される、請求項１に記載のビデオ符号器。
【請求項７】
第１の前記色成分に対する第１の空間予測モードが、国際電気通信連合電気通信標準化部門のＨ．２６４規格のｐｒｅｖ＿ｉｎｔｒａ４×４＿ｐｒｅｄ＿ｍｏｄｅ＿ｆｌａｇ０およびｒｅｍ＿ｉｎｔｒａ４×４＿ｐｒｅｄ＿ｍｏｄｅ０パラメータによって設定され、第２の前記色成分に対する第２の空間予測モードが、ｐｒｅｖ＿ｉｎｔｒａ４×４＿ｐｒｅｄ＿ｍｏｄｅ＿ｆｌａｇ１およびｒｅｍ＿ｉｎｔｒａ４×４＿ｐｒｅｄ＿ｍｏｄｅ１パラメータによって設定され、第３の前記色成分に対する第３の空間予測モードが、ｐｒｅｖ＿ｉｎｔｒａ４×４＿ｐｒｅｄ＿ｍｏｄｅ＿ｆｌａｇ２およびｒｅｍ＿ｉｎｔｒａ４×４＿ｐｒｅｄ＿ｍｏｄｅ２パラメータによって設定される、請求項１に記載のビデオ符号器。
【請求項８】
前記符号器が、前記ビデオ信号データの前記色成分のすべてを、それらに残差色変換を適用することなく符号化する、請求項１に記載のビデオ符号器。
【請求項９】
画像ブロックのためのビデオ信号データを符号化するための方法であって、前記ビデオ信号データの色成分毎に独自の予測器を使用して、前記ビデオ信号データを符号化するステップを含む、前記方法。
【請求項１０】
前記独自の予測器が、前記ビデオ信号データが、共通ブロック区分を使用して区分されるか、または複数ブロック区分を使用して区分されるかに関係なく、前記ビデオ信号データを符号化するために使用される、請求項９に記載の方法。
【請求項１１】
前記独自の予測器が、すべて輝度予測器である、請求項９に記載の方法。
【請求項１２】
前記独自の予測器が、前記ビデオ信号データの輝度および色度成分の両方に対して使用される独自の輝度予測器を備える、請求項９に記載の方法。
【請求項１３】
前記ビデオ信号データのサンプリングが、国際電気通信連合電気通信標準化部門のＨ．２６４規格の４：４：４、４：２：２、および４：２：０フォーマットの何れかに対応する、請求項９に記載の方法。
【請求項１４】
前記独自の予測器が、前記ビデオ信号データのイントラおよびインター符号化の両方に対して使用される、請求項９に記載の方法。
【請求項１５】
第１の前記色成分に対する第１の空間予測モードが、国際電気通信連合電気通信標準化部門のＨ．２６４規格のｐｒｅｖ＿ｉｎｔｒａ４×４＿ｐｒｅｄ＿ｍｏｄｅ＿ｆｌａｇ０およびｒｅｍ＿ｉｎｔｒａ４×４＿ｐｒｅｄ＿ｍｏｄｅ０パラメータによって設定され、第２の前記色成分に対する第２の空間予測モードが、ｐｒｅｖ＿ｉｎｔｒａ４×４＿ｐｒｅｄ＿ｍｏｄｅ＿ｆｌａｇ１およびｒｅｍ＿ｉｎｔｒａ４×４＿ｐｒｅｄ＿ｍｏｄｅ１パラメータによって設定され、第３の前記色成分に対する第３の空間予測モードが、ｐｒｅｖ＿ｉｎｔｒａ４×４＿ｐｒｅｄ＿ｍｏｄｅ＿ｆｌａｇ２およびｒｅｍ＿ｉｎｔｒａ４×４＿ｐｒｅｄ＿ｍｏｄｅ２パラメータによって設定される、請求項９に記載の方法。
【請求項１６】
前記符号化ステップが、前記ビデオ信号データの前記色成分のすべてを、それらに残差色変換を適用することなく符号化する、請求項９に記載の方法。
【請求項１７】
画像ブロックのためのビデオ信号データを復号化するためのビデオ復号器であって、前記ビデオ信号データの色成分毎に独自の予測器を使用して、前記ビデオ信号データを復号化するための復号器を含む、前記ビデオ復号器。
【請求項１８】
前記独自の予測器が、前記ビデオ信号データが、共通ブロック区分を使用して区分されるか、または複数ブロック区分を使用して区分されるかに関係なく、前記ビデオ信号データを復号化するために使用される、請求項１７に記載のビデオ復号器。
【請求項１９】
前記独自の予測器が、すべて輝度予測器である、請求項１７に記載のビデオ復号器。
【請求項２０】
前記独自の予測器が、前記ビデオ信号データの輝度および色度成分の両方に対して使用される独自の輝度予測器を備える、請求項１７に記載のビデオ復号器。
【請求項２１】
前記ビデオ信号データのサンプリングが、国際電気通信連合電気通信標準化部門のＨ．２６４規格の４：４：４、４：２：２、および４：２：０フォーマットの何れかに対応する、請求項１７に記載のビデオ復号器。
【請求項２２】
前記独自の予測器が、前記ビデオ信号データのイントラおよびインター符号化の両方に対して使用される、請求項１７に記載のビデオ復号器。
【請求項２３】
第１の前記色成分に対する第１の空間予測モードが、国際電気通信連合電気通信標準化部門のＨ．２６４規格のｐｒｅｖ＿ｉｎｔｒａ４×４＿ｐｒｅｄ＿ｍｏｄｅ＿ｆｌａｇ０およびｒｅｍ＿ｉｎｔｒａ４×４＿ｐｒｅｄ＿ｍｏｄｅ０パラメータによって設定され、第２の前記色成分に対する第２の空間予測モードが、ｐｒｅｖ＿ｉｎｔｒａ４×４＿ｐｒｅｄ＿ｍｏｄｅ＿ｆｌａｇ１およびｒｅｍ＿ｉｎｔｒａ４×４＿ｐｒｅｄ＿ｍｏｄｅ１パラメータによって設定され、第３の前記色成分に対する第３の空間予測モードが、ｐｒｅｖ＿ｉｎｔｒａ４×４＿ｐｒｅｄ＿ｍｏｄｅ＿ｆｌａｇ２およびｒｅｍ＿ｉｎｔｒａ４×４＿ｐｒｅｄ＿ｍｏｄｅ２パラメータによって設定される、請求項１７に記載のビデオ復号器。
【請求項２４】
前記復号器が、前記ビデオ信号データの前記色成分のすべてを、それらに残差色変換を適用することなく復号化する、請求項１７に記載のビデオ復号器。
【請求項２５】
画像ブロックのためのビデオ信号データを復号化するための方法であって、前記ビデオ信号データの色成分毎に独自の予測器を使用して、前記ビデオ信号データを復号化するステップを含む、前記方法。
【請求項２６】
前記独自の予測器が、前記ビデオ信号データが、共通ブロック区分を使用して区分されるか、または複数ブロック区分を使用して区分されるかに関係なく、前記ビデオ信号データを復号化するために使用される、請求項２５に記載の方法。
【請求項２７】
前記独自の予測器が、すべて輝度予測器である、請求項２５に記載の方法。
【請求項２８】
前記独自の予測器が、前記ビデオ信号データの輝度および色度成分の両方に対して使用される独自の輝度予測器を備える、請求項２５に記載の方法。
【請求項２９】
前記ビデオ信号データのサンプリングが、国際電気通信連合電気通信標準化部門のＨ．２６４規格の４：４：４、４：２：２、および４：２：０フォーマットの何れかに対応する、請求項２５に記載の方法。
【請求項３０】
前記独自の予測器が、前記ビデオ信号データのイントラおよびインター符号化の両方に対して使用される、請求項２５に記載の方法。
【請求項３１】
第１の前記色成分に対する第１の空間予測モードが、国際電気通信連合電気通信標準化部門のＨ．２６４規格のｐｒｅｖ＿ｉｎｔｒａ４×４＿ｐｒｅｄ＿ｍｏｄｅ＿ｆｌａｇ０およびｒｅｍ＿ｉｎｔｒａ４×４＿ｐｒｅｄ＿ｍｏｄｅ０パラメータによって設定され、第２の前記色成分に対する第２の空間予測モードが、ｐｒｅｖ＿ｉｎｔｒａ４×４＿ｐｒｅｄ＿ｍｏｄｅ＿ｆｌａｇ１およびｒｅｍ＿ｉｎｔｒａ４×４＿ｐｒｅｄ＿ｍｏｄｅ１パラメータによって設定され、第３の前記色成分に対する第３の空間予測モードが、ｐｒｅｖ＿ｉｎｔｒａ４×４＿ｐｒｅｄ＿ｍｏｄｅ＿ｆｌａｇ２およびｒｅｍ＿ｉｎｔｒａ４×４＿ｐｒｅｄ＿ｍｏｄｅ２パラメータによって設定される、請求項２５に記載の方法。
【請求項３２】
前記復号化ステップが、前記ビデオ信号データの前記色成分のすべてを、それらに残差色変換を適用することなく復号化する、請求項２５に記載の方法。